(57)【特許請求の範囲】
【請求項１】
充電部に被覆される２つ折りの絶縁シートと、
前記絶縁シートの外面に取り付けられる一対の挟持部、前記絶縁シートの折線部側に配置され該一対の挟持部を開閉させる一対の把持部、および前記一対の挟持部の外面に配置され、電線を間に仮止めする複数の突起部を有するクリップと、を備える間接シート。
【請求項２】
前記複数の突起部は、可撓性を有する樹脂部材により構成される請求項１に記載の間接シート。
【発明の詳細な説明】
【技術分野】
【０００１】
本発明は、間接シートに関する。より詳しくは、間接活線工事中に開放した電線を仮止めできる間接シートに関する。
【背景技術】
【０００２】
従来、間接シートとしては、特許文献１に開示された技術が知られている（例えば、特許文献１参照）。
特許文献１に開示された技術では、２つ折りの絶縁シートと、２つ折りの絶縁シートの折線側とは反対側の２つの側縁部にそれぞれ配置された棒状体と、棒状体に固定されることで絶縁シートの外面に取り付けられる一対の挟持部を有するクリップと、を備える。
この技術では、クリップの一対の挟持部における一方の先端部に他方の先端部近傍の空間に向けて突出する屈曲部を設けている。これにより、クリップの一対の挟持部が複数の電線を挟持する場合であっても、クリップの一対の挟持部から電線の抜け出しを生じさせない。
【先行技術文献】
【特許文献】
【０００３】
【特許文献１】特開２０１１−６２００４号公報
【発明の概要】
【発明が解決しようとする課題】
【０００４】
ところで、間接活線工事によって配電変圧器の吊替えや高圧カットアウトの取替えを行う際には、高圧引下線を取り外して電路を開放する。
具体的には、高圧引下線は充電状態であるため、先ず間接シートを高圧引下線に被覆し、その後に高圧引下線を取り外す。このとき取り外された高圧引下線は、クリップを用いて高圧線や未だ取り外していない高圧引下線に仮止めされる。
クリップを用いて取り外された高圧引下線を仮止めする作業では、取り外された高圧引下線と高圧線や未だ取り外していない高圧引下線とを同時に挟み仮止めする必要がある。この取り外された高圧引下線は、クリップの一対の挟持部から抜け出し易く、上記作業は、作業者にとって煩わしいものであった。
【０００５】
本発明は、上記課題を解決するためのものであり、その目的は、間接活線工事中に開放された電線を容易に仮止めできる間接シートを提供することにある。
【課題を解決するための手段】
【０００６】
（１）本発明に係る間接シートは、充電部に被覆される２つ折りの絶縁シートと、前記絶縁シートの外面に取り付けられる一対の挟持部、前記絶縁シートの折線部側に配置され該一対の挟持部を開閉させる一対の把持部、および前記一対の挟持部の外面に配置される複数の突起部を有するクリップと、を備える。
【０００７】
（２）前記複数の突起部は、可撓性を有する樹脂部材により構成されることが好ましい。
【発明の効果】
【０００８】
本発明によれば、間接活線工事中に電線を容易に仮止めできる間接シートを提供することができる。
【図面の簡単な説明】
【０００９】
【図１】本発明の実施形態に係る間接シートを示す平面図である。
【図２】上記実施形態に係る間接シートの第１クリップ部分を示す図であり、図２（ａ）は、第１クリップ部分の斜視図であり、図２（ｂ）は、第１クリップ部分の側面図であり、図２（ｃ）は、第１クリップ部分の平面図である。
【図３】上記実施形態に係る間接シートの第１クリップ部分を示す分解図である。
【図４】上記実施形態に係る間接シートを高圧引下線に被覆した状態を示す図である。
【図５】上記実施形態に係る取り外された高圧引下線を間接シートの第１クリップの突起部間に仮止めした状態を示す図であり、図５（ａ）は、全体図であり、図５（ｂ）は、取り外された高圧引下線を仮止めした間接シートの第１クリップの拡大図である。
【発明を実施するための形態】
【００１０】
以下、図面を参照して本発明の実施形態について説明する。
［間接シートの構成］
間接シート１は、間接活線工事によって配電変圧器１００の吊替えや高圧カットアウトの取替えを行う際に、高圧引下線Ｌ１に被覆される（図４参照）。
【００１１】
図１に示すように、間接シート１は、絶縁シート２と、棒状体３と、第１クリップ４と、第２クリップ５と、を備える。
【００１２】
絶縁シート２は、矩形形状のシートを折り返すことで構成される。この絶縁シート２は、軟質の合成樹脂材により構成され、絶縁性を有する。
絶縁シート２は、折線部２１と、平面部２２と、折り返し部２３と、を有する。
【００１３】
折線部２１は、絶縁シート２を幅方向に２つ折りにした場合の折線の位置、即ち、絶縁シート２の長手方向に延びる幅方向中心線Ｃ１上に形成される。折線部２１で２つ折りにされた絶縁シート２は、長手方向を上下方向と一致させた状態で用いられる。
【００１４】
平面部２２は、絶縁シート２における折線部２１の幅方向の一方および他方により２つ構成される。
【００１５】
折り返し部２３は、２つの平面部２２それぞれの折線部２１と平行に延びる一対の開放側縁において、絶縁シート２を外面側に折り返して構成される。より詳細には、折り返し部２３は、折り返し端２３ａにおいて平面部２２に接合されており、折り返し端２３ａを除く部分においては、各平面部２２には接合されていない。
折り返し部２３は、絶縁シート２の長手方向（上下方向）に延びる孔部２４を有する筒状に形成される。
【００１６】
棒状体３は、円柱状の棒によって構成される。この棒状体３は、硬質のプラスチックにより構成され、絶縁性を有する。
棒状体３の径は、棒状体３を絶縁シート２の折り返し部２３に形成された孔部２４に嵌入可能な様に孔部２４の孔径よりも小さく設定される。
【００１７】
第１クリップ４および第２クリップ５は、折線部２１で２つ折りにされた絶縁シート２を開閉することができ、通常時は絶縁シート２を閉じた状態に保持する。
図１に示すように、第１クリップ４は、折線部２１で２つ折りにされた絶縁シート２の上端部に配置される。また、第２クリップ５は、折線部２１で２つ折りにされた絶縁シート２の長手方向中央部（上下方向中央部）に配置される。
【００１８】
次に、第１クリップ４を代表に、第１クリップ４および第２クリップ５の構成を説明する。
図２に示すように、第１クリップ４は、第１挟持部材４１と、第２挟持部材４２と、コイルバネ４３と、を有する。
【００１９】
第１挟持部材４１および第２挟持部材４２は、長手方向の偏った位置で屈曲された矩形の板状に形成される。この第１挟持部材４１および第２挟持部材４２は、硬質のプラスチックにより構成され、絶縁性を有する。
第１挟持部材４１および第２挟持部材４２は、屈曲部分に、幅方向に延びる軸４１ａ，４２ａを有する。第１挟持部材４１および第２挟持部材４２は、互いの軸４１ａ，４２ａを合わせ、軸４１ａ，４２ａを中心として互いに相手方に対して回動可能に軸支される。
第１挟持部材４１および第２挟持部材４２のそれぞれは、軸４１ａ，４２ａを境にして、一方側に挟持部６を有し、他方側に把持部７を有する。
【００２０】
各挟持部６は、同じ略直方体形状であり、基端側において軸４１ａ，４２ａに連結される。
各挟持部６は、第１挟持部材４１および第２挟持部材４２の一対の挟持部６，６の対向した内面に長手方向に並ぶ２つの凹部６１，６２を有する。各挟持部６の基端側とは反対側である先端側の凹部６１は、湾曲した円弧形状である。各挟持部６の基端部側の凹部６２は、矩形である。
各挟持部６は、先端に両側面に貫通する貫通孔６３を有する。貫通孔６３の孔径は、棒状体３を貫通孔６３に挿通可能な様に、棒状体３の径よりも大きく設定される。
【００２１】
各把持部７は、挟持部６よりも小さい同じ略直方体形状であり、軸４１ａ，４２ａに対して挟持部６とは反対側に設けられる。
各把持部７の外面は、滑り止め加工を施したグリップ面７１に加工される。各把持部７の上端部は、外方に突出する鍔部７２を有する。
【００２２】
コイルバネ４３は、本体部４３ａを軸４１ａ，４２ａに内装するとともに各端部４３ｂを一対の把持部７のそれぞれに内装する。このコイルバネ４３は、一対の挟持部６，６を閉じる方向に力を付勢している。このため、作業者は、間接活線工具を用いて一対の把持部７，７をコイルバネ４３の付勢力に抗って近づけると、一対の挟持部６，６を開くことができる。一方、作業者が一対の把持部７，７を解放すると、コイルバネ４３の付勢によって一対の挟持部６，６は閉じる。
【００２３】
ここで、各挟持部６の外面は、外向きに突出する棒状の複数の突起部８を有する。この突起部８は、軟質のシリコンやプラスチックあるいはエチレンプロピレン系ゴムにより構成され、可撓性を有する。突起部８の突出量は、後述するように突起部８間に高圧引下線Ｌ１を挟み込んだ場合であっても先端側に余裕を有する長さに設定される。
【００２４】
複数の突起部８は、間接シート１の幅方向と一致する第１クリップ４および第２クリップ５の各挟持部６の長手方向に２列に並ぶ。この２列の配列は、各挟持部６の長手方向に順に複数の突起部８を等しく配置した等配列に構成される。
突起部８間の隙間は、高圧引下線Ｌ１を挟み込むことが可能であり、かつ、挟み込んだ高圧引下線Ｌ１を抜け出させない広さに設定される。
【００２５】
［間接シートの組み立て方法］
次に、間接シート１の組み立て方法を説明する。
図３に示すように、先ず、２つ折りにした絶縁シート２を、一対の挟持部６，６で挟む様に、第１クリップ４および第２クリップ５を配置する。ここで、第１クリップ４および第２クリップ５は、絶縁シート２の折り返し部２３間に、折り返し部２３の孔部２４と同様に棒状体３が挿入される貫通孔６３をつなぐ様に配置される。
【００２６】
次に、２本の棒状体３を、折り返し部２３の孔部２４並びに第１クリップ４および第２クリップ５の貫通孔６３にそれぞれ挿入する。これにより、第１クリップ４および第２クリップ５のそれぞれの一対の挟持部６，６は、棒状体３を介して絶縁シート２の外面に取り付けられる。
【００２７】
［間接シートの使用例］
図４に示すように、間接シート１は、間接活線工事によって配電変圧器１００の吊替えや高圧カットアウトの取替えを行う際に、腕金１０１，１０２間に上下に延びる高圧引下線Ｌ１に被覆される。この高圧引下線Ｌ１に被覆された間接シート１は、高圧引下線Ｌ１，Ｌ２間の短絡を防止する。
【００２８】
先ず、一人の作業者によって間接シート１を保持した状態で、もう一人の作業者は、間接活線工具を用いて第１クリップ４の一対の把持部７，７を近づけ、第１クリップ４の一対の挟持部６，６を開き、絶縁シート２の上部側を開く。次に、この作業者は、絶縁シート２の上部側を高圧引下線Ｌ１に被せる。そして、この作業者は、間接活線工具を外して第１クリップ４の一対の挟持部６，６を閉じ、高圧引下線Ｌ１に第１クリップ４を取り付ける。
そして作業者は、第１クリップ４によって間接シート１を高圧引下線Ｌ１に取り付けた状態で、第２クリップ５を第１クリップ４と同様に開閉操作し、高圧引下線Ｌ１に第２クリップ５を取り付ける。これにより、間接シート１は、高圧引下線Ｌ１に被覆される。
【００２９】
高圧引下線Ｌ１に被覆された間接シート１は、第１クリップ４および第２クリップ５の長手方向を水平方向に一致させた状態となる。
なお、図４では、高圧引下線Ｌ１は長いため、２枚の間接シート１，１を高圧引下線Ｌ１に被覆している。
【００３０】
［開放された引下線の仮止め例］
次いで、図５に示すように、間接活線工事では、高圧線Ｍ１から高圧引下線Ｌ１を取り外して電路を開放する。このとき取り外した高圧引下線ＬＡを、間接シート１の第２クリップ５における一対の挟持部６，６の外面に設けられた複数の突起部８のいずれかの突起部８間に挟み込み、仮止めする。
【００３１】
先ず、作業者がコネクタ１０３によって高圧線Ｍ１に接続された高圧引下線Ｌ１を取り外すと、取り外された高圧引下線ＬＡは、高圧引下線Ｌ１に被覆された間接シート１と平行に端子１０４から鉛直方向に垂れ下がる。このとき、端子１０４から鉛直方向に垂れ下がった取り外された高圧引下線ＬＡは、長手方向を水平方向に一致させた第１クリップ４や第２クリップ５と交差する。
【００３２】
次に、作業者は、取り外された高圧引下線ＬＡが第１クリップ４や第２クリップ５と交差した位置で、この高圧引下線ＬＡを、その第１クリップ４や第２クリップ５における一対の挟持部６，６の外面に設けられ水平方向に並ぶ複数の突起部８のいずれかの突起部８間に挟み込み、仮止めする。
ここで、複数の突起部８は、一対の挟持部６，６の外面に長手方向に２列に等配列されているため、鉛直方向に垂れ下がる高圧引下線ＬＡを２列同時に多重に突起部８間に挟み込むことができる。これにより、図５（ｂ）に示すように、高圧引下線ＬＡを多重に突起部８間に挟み込め、風などにより高圧引下線ＬＡが振動しても突起部８間から外れ難くなる。
また、間接シート１の第１クリップ４および第２クリップ５における一対の挟持部６，６の外面に複数の突起部８が設けられているため、高圧引下線ＬＡを複数のクリップ４，５において多重に突起部８間に挟み込み、高圧引下線ＬＡが突起部８間からより外れ難くしてもよい。
【００３３】
以上の本実施形態に係る間接シート１によれば、以下の効果を奏する。
【００３４】
（１）間接シート１は、第１クリップ４および第２クリップ５の一対の挟持部６，６の外面に複数の突起部８を有する。このため、間接活線工事中に取り外された高圧引下線ＬＡを、高圧引下線Ｌ１に被覆された間接シート１の第１クリップ４または第２クリップ５における一対の挟持部６，６の外面に設けられた複数の突起部８のいずれかの突起部８間に挟み込める。よって、作業者は、他の工具を必要とせず、高圧引下線Ｌ１に被覆された間接シート１のみを用いて高圧引下線ＬＡを容易に仮止めできる。その結果、作業に必要な工具点数を削減することができ、作業能率を向上することができる。
【００３５】
（２）複数の突起部８は、可撓性を有する樹脂部材により構成される。これにより、複数の突起部８は変形し易く、高圧引下線ＬＡを突起部８間に挟み易くなる。
【００３６】
なお、本発明は上記実施形態に限定されず、本発明の目的を達成できる範囲で変形、改良などを行っても、本発明の範囲に包含される。
【００３７】
本実施形態では、複数の突起部８は、一対の挟持部６，６の外面に長手方向に２列並ぶものであったが、これに限られない。例えば、複数の突起部８は、一対の挟持部６，６の外面に長手方向に３列以上並ぶものであってもよい。また、複数の突起部８は、一対の挟持部６，６の外面に幅方向全体に広がった蒲鉾状の突起部に構成され、一対の挟持部６，６の外面に長手方向に１列設けられるものであってもよい。
【符号の説明】
【００３８】
１…間接シート
２…絶縁シート
２１…折線部
４…第１クリップ
５…第２クリップ
６…挟持部
７…把持部
８…突起部
【要約】
【課題】間接活線工事中に開放された電線を容易に仮止めできる間接シートを提供する。
【解決手段】間接シート１は、高圧引下線Ｌ１に被覆される２つ折りの絶縁シート２と、絶縁シート２の外面に取り付けられる一対の挟持部６，６、絶縁シート２の折線部２１側に配置され該一対の挟持部６，６を開閉させる一対の把持部７，７、および一対の挟持部６，６の外面に配置される複数の突起部８を有する第１クリップ４および第２クリップ５と、を備える。
【選択図】図１【図１】
0005497145.tif 000002
【図２】
0005497145.tif 000003
【図３】
0005497145.tif 000004
【図４】
0005497145.tif 000005
【図５】
0005497145.tif 000006